(57)【要約】 【課題】  簡便に、オーディオ信号とビデオ信号の非同期の読み出しを制御可能な再生装置を提供する。【解決手段】  ジョグダイヤル部４ａは、オーディオＲＡＭ７からのオーディオデータの読み取り、又は、ビデオＲＡＭ１２からのビデオデータの読み取りの一方に関する操作入力を受け付ける帯状の第１操作円盤部２９と、オーディオＲＡＭ７からのオーディオデータの読み取り、又は、ビデオＲＡＭ１２からのビデオデータの読み取りの他方に関する操作入力を受け付ける、第１操作円盤部２９の内側に設けられた第２操作円盤部３０と、を備える。【選択図】  図１
2008282430.tif 000002
【特許請求の範囲】
【請求項１】
記録媒体に記録されたオーディオデータ及びビデオデータを再生する再生部と、
前記再生部が再生したオーディオデータを記憶するオーディオデータ記憶部と、
前記再生部が再生したビデオデータを記憶するビデオデータ記憶部と、
前記オーディオデータ記憶部に記憶されたオーディオデータ及び前記ビデオデータ記憶部に記憶されたビデオデータの読み取りに関する操作入力を受け付ける操作部と、
前記操作部が受け付けた操作入力に基づいて、前記オーディオデータ記憶部及び／又はビデオデータ記憶部からのオーディオデータ及び／又はビデオデータの読み取りを制御する制御部と、を備え、
前記操作部は、
前記オーディオデータ記憶部からのオーディオデータの読み取り、又は、前記ビデオデータ記憶部からのビデオデータの読み取りの一方に関する操作入力を受け付ける第１操作円盤部と、
前記オーディオデータ記憶部からのオーディオデータの読み取り、又は、前記ビデオデータ記憶部からのビデオデータの読み取りの他方に関する操作入力を受け付ける、前記第１操作円盤部の内側に設けられた第２操作円盤部と、
を備える、ことを特徴とする再生装置。
【請求項２】
前記第１操作円盤部の近傍に設けられ、前記第１操作円盤部の回転状態に応じた信号を発生する第１センサ部と、
前記第２操作円盤部に共通回転軸を介して接続されて一体に回転可能な、前記第２操作円盤部の下方に配置されたスケール部の回転状態に応じた信号を発生する第２センサ部と、をさらに備え、
前記制御部は、前記第１センサ部及び／又は前記第２センサ部から入力された信号に基づいて前記第１操作円盤部及び／又は第２操作円盤部の回転状態を判別し、前記オーディオデータ記憶部及び／又はビデオデータ記憶部からのオーディオデータ及び／又はビデオデータの読み取りを制御する、ことを特徴とする請求項１に記載の再生装置。
【請求項３】
前記第１操作円盤部と前記第２操作円盤部とが載置され、前記第１操作円盤部と前記第２操作円盤部とをそれぞれ独立に回転させる円盤部をさらに備える、ことを特徴とする請求項１又は２に記載の再生装置。
【請求項４】
前記操作部への操作入力がない状態で、前記第１操作円盤部と前記第２操作円盤部とは、前記円盤部の回転に従って同一の回転速度及び方向に回転する、ことを特徴とする請求項３に記載の再生装置。
【請求項５】
前記第１操作円盤部の一面と前記第２操作円盤部の一面とは、同一平面を構成する、ことを特徴とする請求項１乃至４のいずれか１項に記載の再生装置。
【請求項６】
前記第２操作円盤部は、前記第１操作円盤部の内側で突出する、ことを特徴とする請求項１乃至４のいずれか１項に記載の再生装置。
【発明の詳細な説明】
【技術分野】
【０００１】
本発明は、記憶したオーディオ信号及びビデオ信号を非同期に再生する再生装置に関する。
【背景技術】
【０００２】
デジタル技術の進展に伴い、アナログレコードを用いた特殊再生（所謂スクラッチ再生等）と同様の特殊再生をＣＤ（Compact Disc）について行うことが可能なＣＤプレーヤが一般的になっている。このＣＤプレーヤは、特にクラブ、ホームパーティ等においてＤＪ（Disc Jockey）等によって好ましく用いられている。
【０００３】
このＣＤプレーヤは、ＣＤ、ＣＤ−Ｒ等から再生したオーディオ信号をメモリに記憶する。このＣＤプレーヤは、一般に、アナログレコード様のジョグダイヤルを備え、ジョグダイヤルの正方向又は逆方向の速度及び回転に応じて、メモリに記憶されたオーディオ信号の読み出し速度及び順序を制御する。ジョグダイヤルをアナログレコードと同様に回転操作することにより、ＤＪ等の操作者は、アナログレコードプレーヤを用いた場合と同様の擦れ音等の効果音を発生させることができる（例えば、特許文献１〜３参照）。
【０００４】
さらに、近年、圧縮技術の進歩に伴うDVD（Digital Versatile Disc）の普及などによりオーディオ信号のみならずビデオ信号を個人が手軽に入手できるようになった。このような状況の下、オーディオ信号及びビデオ信号の両方を、上記ＣＤプレーヤと同様の操作により特殊再生できる信号処理装置が開発されている（例えば、下記特許文献４参照）。このような再生装置を、特にクラブ、ホームパーティ等で使用して、オーディオ信号及びビデオ信号を操作する者はＶＪ（Video Jockey）と呼ばれる。
【０００５】
上記公報に記載の信号処理装置は、画像信号とオーディオ信号とを別々のバッファメモリに記憶し、映像信号又はオーディオ信号のいずれか一方の再生を調整する。映像信号及びオーディオ信号のいずれの再生速度等を調整するかは、選択ボタンによって操作者が決定する。
【０００６】
【特許文献１】特開２００１−３１２８５７号公報
【特許文献２】特開２００３−３４６４６９号公報
【特許文献３】特開２００４−３０３２９５号公報
【特許文献４】特開２００５−１０８２９４号公報
【発明の開示】
【発明が解決しようとする課題】
【０００７】
しかし、上記公報に記載の装置では、選択ボタンで選択したオーディオ信号又は映像信号のいずれかのみを調整するため、操作者はオーディオ信号及び映像信号の両方を同時に独立に調整することはできない。例えば、操作者は、映像信号の再生を調整しつつ、オーディオ信号の再生を調整することはできない。また、オーディオ信号と映像信号とのいずれかの再生を選択するため、操作者はいちいち選択ボタンを押す必要がある。本発明は、操作者が簡単な操作でオーディオ信号と映像信号とを自在に非同期に再生可能な、操作性の良好な再生装置を提供することを目的とする。
【課題を解決するための手段】
【０００８】
上記目的を達成するため、本発明の一態様に係る再生装置は、記録媒体に記録されたオーディオデータ及びビデオデータを再生する再生部と、前記再生部が再生したオーディオデータを記憶するオーディオデータ記憶部と、前記再生部が再生したビデオデータを記憶するビデオデータ記憶部と、前記オーディオデータ記憶部に記憶されたオーディオデータ及び前記ビデオデータ記憶部に記憶されたビデオデータの読み取りに関する操作入力を受け付ける操作部と、前記操作部が受け付けた操作入力に基づいて、前記オーディオデータ記憶部及び／又はビデオデータ記憶部からのオーディオデータ及び／又はビデオデータの読み取りを制御する制御部と、を備え、前記操作部は、前記オーディオデータ記憶部からのオーディオデータの読み取り、又は、前記ビデオデータ記憶部からのビデオデータの読み取りの一方に関する操作入力を受け付ける第１操作円盤部と、前記オーディオデータ記憶部からのオーディオデータの読み取り、又は、前記ビデオデータ記憶部からのビデオデータの読み取りの他方に関する操作入力を受け付ける、前記第１操作円盤部の内側に設けられた第２操作円盤部と、を備える、ことを特徴とする。
【０００９】
上記構成の再生装置は、前記第１操作円盤部の近傍に設けられ、前記第１操作円盤部の回転状態に応じた信号を発生する第１センサ部と、前記第２操作円盤部に共通回転軸を介して接続されて一体に回転可能な、前記第２操作円盤部の下方に配置されたスケール部の回転状態に応じた信号を発生する第２センサ部と、をさらに備えてもよく、前記制御部は、前記第１センサ部及び／又は前記第２センサ部から入力された信号に基づいて前記第１操作円盤部及び／又は第２操作円盤部の回転状態を判別し、前記オーディオデータ記憶部及び／又はビデオデータ記憶部からのオーディオデータ及び／又はビデオデータの読み取りを制御してもよい。
【００１０】
上記構成の再生装置は、前記第１操作円盤部と前記第２操作円盤部とが載置され、前記第１操作円盤部と前記第２操作円盤部とをそれぞれ独立に回転させる円盤部をさらに備えてもよい。
【００１１】
上記構成の再生装置は、例えば、前記操作部への操作入力がない状態で、前記第１操作円盤部と前記第２操作円盤部とは、前記円盤部の回転に従って同一の回転速度及び方向に回転する。
【００１２】
上記構成において、例えば、前記第１操作円盤部の一面と前記第２操作円盤部の一面とは、同一平面を構成する。
【００１３】
上記構成において、前記第２操作円盤部は、例えば、前記第１操作円盤部の内側で突出する。
【発明の効果】
【００１４】
本発明によれば、操作者が簡単な操作でオーディオ信号と映像信号とを自在に非同期に再生可能な、操作性の良好な再生装置が提供される。
【発明を実施するための最良の形態】
【００１５】
本発明に係る実施の形態について、以下、図面を参照して詳細に説明する。なお、以下に示す実施の形態は一例であり、これに限定されない。
本実施の形態に係る再生装置は、アナログレコードを操作する場合と同様の操作により、ＣＤ、ＤＶＤ等の記録媒体に記録されたデジタルオーディオデータ及び／又はデジタルビデオデータについて、ＤＪやＶＪ等の操作者が自在な再生を行うことが可能であり、例えば、クラブ、スタジオ等で好適に使用可能である。
【００１６】
本発明の実施の形態に係る再生装置の構成を図１に示す。図１に示す再生装置１は、制御部３と、再生部２と、オーディオＲＡＭ（Random Access Memory）７と、ビデオＲＡＭ１２と、オーディオ信号処理部６と、ビデオ信号処理部１１と、オーディオＤＡＣ（Digital to Analog Converter）８と、ビデオＤＡＣ１３と、表示部５と、操作部４と、を備える。
【００１７】
制御部３は、以下に説明する本実施の形態の再生装置１全体の動作を制御する。
【００１８】
再生部２は、記録媒体の読み取りドライブから構成され、ＣＤ、ＤＶＤ等の記録媒体に記録されたデジタルデータを読み取り、再生する。再生部２が再生したデジタル信号は、制御部３による制御の下、デジタルオーディオ信号とデジタルビデオ信号とに分けられる。また、再生部２は、デジタルデータが記憶された外付けメモリ、例えば、外付けハードディスク、フラッシュメモリ等からデジタルデータを読み出してもよい。
【００１９】
オーディオＲＡＭ７は、制御部３の制御により分離されオーディオ信号処理部６に入力されたデジタルオーディオ信号を記憶する。
ビデオＲＡＭ１２は、制御部３の制御により分離されビデオ信号処理部７に入力されたデジタルビデオ信号を記憶する。
【００２０】
オーディオ信号処理部６は、オーディオＲＡＭ７のメモリアドレスを管理する。また、オーディオ信号処理部６は、制御部３により指示されたアドレス順及び速度で、オーディオＲＡＭ７に記憶されたオーディオデータを読み出す。
【００２１】
ビデオ信号処理部１１は、ビデオＲＡＭ１２のメモリアドレスを管理する。また、ビデオ信号処理部１１は、制御部３により指示されたアドレス順及び速度で、ビデオＲＡＭ１２に記憶されたビデオデータを読み出す。
【００２２】
オーディオＤＡＣ８は、オーディオ信号処理部６によりオーディオＲＡＭ７から読み出されたデジタルオーディオ信号をアナログオーディオ信号に変換する。オーディオＤＡＣ８から出力されたアナログオーディオ信号は、オーディオ出力端子１０を介してスピーカ等の機器に出力される。オーディオＤＡＣ８とオーディオ出力端子１０との間にアンプを設け、増幅したアナログオーディオ信号を出力してもよい。
【００２３】
ビデオＤＡＣ１３は、ビデオ信号処理部１１によりビデオＲＡＭ１２から読み出されたデジタルビデオ信号をアナログビデオ信号に変換する。ビデオＤＡＣ１３から出力されたアナログビデオ信号は、ビデオ出力端子１５を介してディスプレイ等の機器に出力される。ビデオＤＡＣ１３とビデオ出力端子１５との間にアンプを設け、増幅したアナログビデオ信号を出力してもよい。また、ディスプレイの種類に応じて、ビデオＤＡＣ１３を設けずに、所定方式のデジタルビデオ信号を出力してもよい。
【００２４】
表示部５は、液晶表示装置等から構成される。表示部５は、現在再生しているトラック、チャプタ、ファイルの再生時間、操作内容等の情報を表示するが、表示内容はこれらに限られない。
【００２５】
操作部４は、ジョグダイヤル部、再生ボタン、再生停止ボタン、イジェクトボタン等を備え（いずれも図１中図示せず）、操作者の操作を介して指示入力を受け付ける。制御部３は、ジョグダイヤル部の回転速度及び回転方向に応じて、オーディオＲＡＭ７及びビデオＲＡＭ１２に記憶されたデジタルデータを読み出すようオーディオ信号処理部６及びビデオ信号処理部１１を制御する。本実施の形態では、以下に示すジョグダイヤル部の構成により、オーディオデータ及びビデオデータの読み出しをそれぞれ独立に非同期に制御可能である。
【００２６】
図２は、本実施の形態に係るジョグダイヤル部４ａの側断面を示す図である。図２に示すジョグダイヤル部４ａは、円盤部２５と、第１シート部２７と、第２シート部２８と、第１操作円盤部２９と、第２操作円盤部３０と、回転軸３２と、第２センサ部３３と、第１センサ部３４と、第２スケール部３５と、第３センサ部３６と、第３スケール部３８と、から構成されている。
【００２７】
第１操作円盤部２９は、再生装置１の上面を構成するパネル２０の上方に配置されている。第１操作円盤部２９は、例えばアナログレコードと同等の大きさの、１０ｃｍ〜３０ｃｍの外径を有し、例えば３ｃｍの幅を有する環状部材から構成されている。第１操作円盤部２９の幅は、操作者に充分な操作性を与える程度の大きさで設けられる。第１操作円盤部２９は、操作者に好ましい操作性を提供する金属材料或いはプラスチック材料から構成されている。
【００２８】
図３（ａ）に、第１操作円盤部２９の上面図を示し、図３（ｂ）に、図３（ａ）の点線円内の部分を拡大した図を示す。
図３（ａ）に示すように、第１操作円盤部２９の上面外周付近には、複数のスリット部２９ａが帯状に略等間隔に設けられている。第１操作円盤部２９の材質が金属の場合、スリット部２９ａは略長方形状の開口部として形成する。しかし、開口部の形状は、長方形に限られるものではなく、適宜の形状でよい。また、第１操作円盤部２９の材質が透明又は半透明のプラスチックの場合は、スリット部２９ａを印刷によって形成する。
【００２９】
図２に戻り、第１センサ部３４は、第１操作円盤部２９の外周近傍の、スリット部２９ａを検出可能な位置にパネル２０に固定されている。例えば、第１センサ部３４は、パネル２０の上面から突出した部分に取り付けられている。
【００３０】
第１センサ部３４は、図３（ｂ）に示すように、２つの光センサ３４ａ及び３４ｂを備える。光センサ３４ａ、３４ｂは、発光素子及び受光素子の対（いずれも図示せず）を備える。第１操作円盤部２９及び光センサ３４ａ、３４ｂはロータリエンコーダを構成する。光センサ３４ａ、３４ｂの発光素子は第１操作円盤部２９の一面上から一定強度のビーム光を投射し、受光素子は他面上に設けられて、透過光を受光する。受光素子は、光電変換素子から構成され、受光状態に応じてパルス信号を発生する。なお、スリット部２９ａを印刷により形成した場合、印刷塗料にカーボンを含ませると、第１光センサ部３４がスリット部２９ａを検出する精度が向上しうる。また、回転エンコーダの他の例として、回転方向によって直流の出力電圧の極性が異なるタコジェネレータを使用しても良い。
【００３１】
制御部３は、第１センサ部３４から入力された光センサ３４ａ、ｂがそれぞれ発生したパルス信号に基づいて、第１操作円盤部２９の回転状態（回転速度及び回転方向）を判別する。
【００３２】
第２操作円盤部３０は、第１操作円盤部２９の内側に略同心円上に設けられた円盤状部材から構成されている。第２操作円盤部３０は、好ましくは第１操作円盤部２９と同じ材料で、同じ厚みで構成されている。第２操作円盤部３０の外周縁は、その上部が下部よりも大径に形成されている。他方、第１操作円盤部２９の内周縁は、その上部が下部よりも小径に形成され、第２操作円盤部３０の外周縁と嵌合する。第１操作円盤部２９と第２操作円盤部３０とは、互いに嵌合した状態で、第１操作円盤部２９が第２操作円盤部３０よりも上方に移動しないように配置される。第１操作円盤部２９と第２操作円盤部３０とは外観上１つの円盤を形成する。第２操作円盤部３０の外径は、第１操作円盤部２９の幅によって定まるが、操作しやすいように、例えば、１４ｃｍ程度に設定される。
【００３３】
第２操作円盤部３０は、上部保持部３１により回転軸３２に固定されている。上部保持部３１は、第２操作円盤部３０の上に配置され、その凹部が第２操作円盤部３０に設けられた凸部と嵌合して固定される。第２操作円盤部３０の保持シャフトである回転軸３２には、図示しない軸受けが一体成形により形成されている。回転軸３２はパネル２０の図示しない軸受けに図示しないワッシャを介して挿入され保持されている。回転軸３２は、パネル２０の下方、筐体の内部まで延伸している。
【００３４】
第２スケール部３５は、円盤状部材から構成されている。第２スケール部３５は、パネル２０の下方の回転軸３２の下端にその略中心が固定され、第２操作円盤部３０と同じ方向及び速度で回転する。すなわち、第２操作円盤部３０の回転は、回転軸３２を介して第２スケール部３５に伝達され、第２操作円盤部３０と第２スケール部３５は一体的に回転する。第２スケール部３５の一面の外周付近には、第１操作円盤部２９と同様の図示しない複数のスリット部が帯状に形成されている。
【００３５】
第２センサ部３３は、パネル２０の下面、第２スケール部３５の外周近傍に固定されている。第２センサ部３３は、第１センサ部３４と同様の構成を有し、スリット部が形成された第２スケール部３５の一面に光を投射し、反射光の有無に応じてパルス信号を発生して制御部３に送出する。制御部３は、第２センサ部３３から受け取ったパルス信号に基づいて第２スケール部３５の回転状態（回転速度及び方向）、すなわち、第２操作円盤部３０の回転状態を判別する。
【００３６】
円盤部２５は、第１操作円盤部２９及び第２操作円盤部３０の下方にこれらと同心円上に配置された、第１操作円盤部２９の外径と略同径或いは小径の円盤状部材から構成される。円盤部２５は、例えばＰＣ（ポリカーボネード）から構成される。
【００３７】
円盤部２５と第１操作円盤部２９及び第２操作円盤部３０との間には、それぞれ第１シート部２７及び第２シート部２８がそれぞれ同心円上に設けられ、これらの略中心には回転軸３２が貫通している。第１シート部２７の内径は、第１操作円盤部２９の下部内周縁とほぼ等しく、その外径は、第１操作円盤部２９の外径よりとほぼ同じかやや小さい。第２シート部２８の外径は、第２操作円盤部３０の外径とほぼ等しい。第１シート部２７および第２シート部２８は、摩擦係数が小さく、静電気が発生しにくいプラスチックまたはプラスチック繊維から構成されている。
【００３８】
円盤部２５は、パネル２０に固定されたモータ２１によって回転駆動される。モータ２１のモータ回転軸２２には、プーリ部２３が取り付けられている。モータ２１のモータ回転軸２２に取り付けられたプーリ部２３の円盤部２５のプーリ部２６にベルト２４が掛けられている。モータ２１は、予め定められた速度で回転する。モータ２１の駆動力は、プーリ部２３にかけられているベルト２４に伝達されて円盤部２５を回転させる。円盤部２５は、例えば、アナログディスクプレーヤの回転数とほぼ同じ３３＋１／３ＲＰＭまたは４５ＲＰＭで回転される。
【００３９】
第３スケール部３８は、円盤状部材から構成され、円盤部２５とパネル２０の上面との間に設けられている。第３スケール部３８の略中心には、回転軸３２が貫通している。第３スケール部３８は、下部保持部３７により円盤部２５に固定されている。円盤部２５は、モータ２１の駆動に応じて第３スケール部３８は一体的に回転する。第３スケール部３８の一面の外周付近には、第１操作円盤部２９と同様の図示しない複数のスリット部が帯状に形成されている。
【００４０】
第３センサ部３６はパネル２０の上面、第３スケール部３８の外周近傍に固定されている。第３センサ部３６は、第１センサ部３４と同様の構成を有し、スリット部が形成された第３スケール部３８の一面に光を投射し、反射光の有無に応じてパルス信号を発生して制御部３に送出する。制御部３は、第３センサ部３６から受け取ったパルス信号に基づいて第３スケール部３８の回転速度、すなわち、円盤部２５の回転速度を判別する。制御部３は、円盤部２５の回転速度を第３センサ部３６によって監視し、円盤部２５の回転速度を予め定められた速度に保つようにモータ２１を制御する。
【００４１】
なお、モータ２１の回転方向は、アナログレコードプレーヤのターンテーブルの回転方向（右回り）と同じ方向であることが好ましい。この場合、操作者は、アナログレコードを用いて特殊再生を行う操作と同様の操作感覚が得られる。
【００４２】
第１操作円盤部２９、第２操作円盤部３０等は、円盤部２５の回転に従って、回転軸３２を中心として回転する。ここで、第１操作円盤部２９、第２操作円盤部３０、第１シート部２７、第２シート部２８、回転軸３２等は、円盤部２５とほぼ同じ速度で回転可能である。すなわち、第１操作円盤部２９及び第２操作円盤部３０は、円盤部２５の回転に追従するのに十分な表面積とし、材質、厚みを調整することにより、介在する第１シート部２７および第２シート部２８が小さい摩擦係数であっても、円盤部２５と同じ回転速度で回転を開始するように、自重と慣性モーメントとが充分小さく設計されている。
【００４３】
以下、上記構成の本実施の形態に係る再生装置の動作について説明する。
再生装置１がＯＮ状態のとき、操作部４から再生指示の入力があると、制御部３は、再生部２にＤＶＤ等の記録媒体から記録データを読み出すよう制御する。ここで、記録媒体には、オーディオデータとビデオデータとが記録されている。再生部２が読み出したデータは、オーディオ信号とビデオ信号とに分けられ、オーディオＲＡＭ７及びビデオＲＡＭ１２にそれぞれ記憶される。
このとき、制御部３は、モータ２１を駆動して、円盤部２５を予め定められた速度で回転させる。第１操作円盤部２９及び第２操作円盤部３０は、円盤部２５の回転に追従して回転する。操作者が第１操作円盤部２９及び第２操作円盤部３０を操作しないとき、第１操作円盤部２９及び第２操作円盤部３０は円盤部２５と略同一の速度で回転する。ここで、制御部３は、円盤部２５を、例えば、アナログレコードプレーヤの再生時におけるターンテーブルの角速度で回転するようモータ２１を制御する。
【００４４】
第１操作円盤部２９及び第２操作円盤部３０が操作されない状態で、オーディオ信号処理部６及びビデオ信号処理部１１は、通常の再生速度及び順序でオーディオ信号及びビデオ信号をオーディオＲＡＭ７及びビデオＲＡＭ１２から読み出す。オーディオ信号処理部６及びビデオ信号処理部１１は、読み出したオーディオ信号及びビデオ信号に所定の処理（逆転再生、エフェクト等）を施して出力する。オーディオＤＡＣ６及びビデオＤＡＣ１３は、出力されたデジタル信号をアナログ信号に変換してオーディオ出力端子１０及びビデオ出力端子１５に接続された外部機器（スピーカ、ディスプレイ等）に出力する。勿論、デジタル入力可能なディスプレイに出力する場合には、所定方式のデジタル信号で出力すればよい。
【００４５】
次に、このように予め定められた速度で回転している第１操作円盤部２９を停止する場合における、本実施例の再生装置１の動作について説明する。
【００４６】
操作者は、予め定められた速度で回転している第１操作円盤部２９に手を乗せ、回転速度を低下させる。このとき、円盤部２５は、第１シート部２７の摩擦係数が小さいため、第１操作円盤部２９の回転速度に影響されることなく、予め定められた回転速度で回転する。第１操作円盤部２９の回転速度が変化すると、第１センサ部３４から一定時間内に発生するパルス信号のパルス数は、第１操作円盤部２９の回転速度に応じて変化する。制御部３は、第１センサ部３４から一定時間に入力されたパルス信号のパルス数から第１操作円盤部２９の回転速度を判別する。制御部３は、判別した回転速度に応じて、オーディオＲＡＭ７からデジタルオーディオ信号を読み出す速度を低くするようオーディオ信号処理部６を制御する。
【００４７】
第１操作円盤部２９の回転が停止したとき、第１センサ部３４は、パルス信号を発生しない。制御部３は、第１センサ部３４からのパルス信号の入力がないとき、オーディオＲＡＭ７からのデジタルオーディオ信号の読み出しを停止するようオーディオ信号処理部６を制御する。
【００４８】
一方、このように第１操作円盤部２９の回転速度が徐々に低下し回転が停止に至る間も、円盤部２５はその回転速度に影響されないため、第２操作円盤部３０は、円盤部２５と同じ回転速度で回転する。したがって、制御部３は、通常再生時の読み出し速度及び順序でビデオＲＡＭ１２からデジタルビデオ信号を読み出すようビデオ信号処理部１１を制御する。これにより、デジタルオーディオ信号の読み出し速度とデジタルビデオ信号の呼び出し速度は異なり、オーディオ出力端子１０からのアナログオーディオ信号とビデオ出力端子１５からのアナログビデオ信号とが非同期で出力される。
【００４９】
操作者がさらに第１操作円盤部２９を上から強い力で押さえた場合には、円盤部２５の回転速度も低下する。円盤部２５の回転速度が低下することにより円盤部２５と同じ速度で回転する第２操作円盤部３０の回転速度も低下する。第２操作円盤部３０の回転速度が変化すると、第２センサ部３３から一定時間に発生するパルス信号のパルス数は、第２操作円盤部３０の回転速度に応じて変化する。
【００５０】
制御部３は、第２センサ部３３から一定時間内に入力されたパルス信号のパルス数から第２操作円盤部３０の回転速度を判別する。制御部３は、判別した回転速度に応じてビデオＲＡＭ１２からデジタルビデオ信号を読み出す速度を低くするようビデオ信号処理部１１を制御する。これにより操作者の操作によって第２操作円盤部３０を直接操作しなくても、第２操作円盤部３０の回転速度を変化させ、ビデオ信号の再生速度を変化させることができる。操作者が第１操作円盤部２９を押さえる力を弱めたとき、円盤部２５は予め定められた速度で回転を再開するので、第２操作円盤部３０の回転速度も円盤部２５に従い通常の回転速度に戻る。制御部３は、ビデオ信号処理部１１に通常再生時の読み出し速度でビデオＲＡＭ１２からデジタルビデオ信号を読み出す制御をする。
【００５１】
操作者が第１操作円盤部２９から手を離すと、第１操作円盤部２９は、円盤部２５が予め定められた速度で回転しているので、直ちに、予め定められた速度で回転を再開する。第１操作円盤部２９が予め定められた速度で回転を再開すると、制御部３は、オーディオ信号処理部６に通常再生時の読み出し速度でオーディオＲＡＭ７からデジタルオーディオ信号を読み出す制御をする。
【００５２】
同様に、第２操作円盤部３０を操作することによって、操作者は、ビデオ信号の出力速度を低下させ、停止させることができる。さらに強い力で第２操作円盤部３０を操作することにより、円盤部２５及び第１操作円盤部２９の回転を低下させ、停止させることができる。
【００５３】
また、操作者は、予め定められた速度で回転している第１操作円盤部２９を手で予め定められた速度より速く回転させて回転速度を高くする場合、制御部３は、第１センサ部３４から一定時間に入力されたパルス信号のパルス数に応じて、オーディオＲＡＭ７からデジタルオーディオ信号を読み出す速度を高くするようオーディオ信号処理部６を制御する。
【００５４】
同様にして、操作者は、手で第２操作円盤部３０を操作してビデオＲＡＭ１２からのデジタルビデオ信号の読み出し速度をオーディオ信号とは非同期に変更することができる。第２操作円盤部３０の回転状態は第２スケール部３５に伝達され、第２センサ部３３が回転状態に応じたパルス信号を生成する。制御部３は、第２センサ部３３からのパルス信号に基づいて第２操作円盤部３０の速度を判別し、これに応じて、ビデオ信号処理部１１によるビデオＲＡＭ１２からのデジタルビデオ信号の読み出し速度を制御する。このとき、制御部３は、オーディオＲＡＭ７から通常再生時の読み出し速度でデジタルオーディオ信号を読み出すようオーディオ信号処理部６を制御する。このようにして、ビデオ信号はオーディオ信号と異なる速度で非同期に出力可能となる。
【００５５】
操作者が手でより強い力で第２操作円盤部３０を操作した場合には、円盤部２５の回転速度が低下し、円盤部２５及び第１操作円盤部２９は第２操作円盤部３０と同じ速度で回転する。これにより、ビデオ信号とオーディオ信号とは同期して、通常再生時よりも速い速度で再生される。
【００５６】
次に、第１操作円盤部２９を定められた速度で回転している方向と逆方向に回転させ、オーディオ信号のみ逆順に再生させる場合における、本実施例の再生装置の再生動作について説明する。
【００５７】
操作者は、手で予め定められた速度で回転している第１操作円盤部２９を逆方向に回転させる。このとき、円盤部２５は、第１シート部２７の摩擦係数が小さいため、第１操作円盤部２９の回転速度及び方向に影響されることなく、予め定められた速度で回転することができる。
【００５８】
上述したように、制御部３は、第１センサ部３４から一定時間に入力されたパルス信号のパルス数から第１操作円盤部２９の回転速度を判別する。また、第１センサ部３４は、２つの光センサ３４ａ及び３４ｂを備え、第１操作円盤部２９の回転方向が変化すると、この２つの光センサ３４ａ及び３４ｂから発生するパルス信号の位相差は、第１操作円盤部２９の回転方向に応じて変化する。制御部３は、この２つの光センサ３４ａ及び３４ｂから入力されたパルス信号の位相差から第１操作円盤部２９の回転方向を判別する。
例えば、光センサ３４ａと３４ｂとはスリット部２９ａに対して９０度の位相だけずらした位置に配置され、回転方向によって二つの検出器の出力波形の位相が異なることにより回転方向の識別する。
【００５９】
ここで、第１操作円盤部２９の回転方向の判別について説明する。図４（ａ）及び（ｂ）は、第１操作円盤部２９が正方向及び逆方向に回転する状態で、光センサ３４ａ及び３４ｂから制御部３に入力されるパルス信号の例を示す図である。
【００６０】
図に示す例では、スリット部２９ａは印刷により設けられている。第１センサ部３４の光センサ３４ａ及び光センサ３４ｂは、第１操作円盤部２９のスリット部２９ａの上にあることを示すパルス信号（ＯＮ或いはＨ）を出力し、スリット部２９ａの上にないときことを示すパルス信号（ＯＦＦ或いはＬ）を出力する。光センサ３４ａ及び光センサ３４ｂがそれぞれ出力されるパルス信号の組み合わせとして、次の４通りの出力パターンがある。
＃１：３４ａ−ＯＮ、３４ｂ−ＯＦＦ
＃２：３４ａ−ＯＮ、３４ｂ−ＯＮ
＃３：３４ａ−ＯＦＦ、３４ｂ−ＯＮ
＃４：３４ａ−ＯＦＦ、３４ｂ−ＯＦＦ
【００６１】
また、本例では、光センサ３４ａは、光センサ３４ｂに対して、（ｎピッチ＋１／４ピッチ）だけ正方向に進んだ位置にセットされている。この場合、第１操作円盤部２９が正方向に回転した場合は、図４（ａ）に示すように、下記順番で上述した出力パターンが発生する。
＃４→＃１→＃２→＃３→＃４→＃１→・・・
【００６２】
一方、第１操作円盤部２９が逆方向に回転した場合は、図４（ｂ）に示すように、下記順番で上述した出力パターンが発生する。
＃１→＃４→＃３→＃２→＃１→＃４→・・・
制御部３は、上記の出力パターンの発生順序の違いに基づいて、第１操作円盤部２９の回転方向を判別することができる。第２操作円盤部３０及び円盤部２５の回転方向についても、第２センサ部３３及び第３センサ部３６がそれぞれ備える２つの光センサからそれぞれ出力されるパルス信号に基づいて判別可能である。
【００６３】
制御部３は、判別した回転速度及び回転方向に応じて、オーディオ信号処理部６を制御する。オーディオ信号処理部６は、オーディオＲＡＭ７からデジタルオーディオ信号を読み出す速度及び順序を制御する。すなわち、通常とは逆の順序（降順アドレス）で、かつ、指示された速度でオーディオＲＡＭ７に記憶されたオーディオ信号を読み出す。
【００６４】
操作者が第１操作円盤部２９から手を離し操作が終了すると、第１操作円盤部２９は、円盤部２５が予め定められた速度で回転しているので、直ちに、予め定められた速度及び回転方向の回転を再開する。第１操作円盤部２９が予め定められた速度及び回転方向で回転を再開すると、制御部３は、オーディオ信号処理部６に通常再生時の読み出し速度でオーディオＲＡＭ７からデジタルオーディオ信号を読み出す制御をする。
【００６５】
次に、第２操作円盤部３０を定められた速度で回転している方向と逆方向に回転させ、ビデオ信号のみ逆順に再生させる場合における、本実施例の再生装置の再生動作について説明する。
【００６６】
操作者は、手で予め定められた速度で回転している第２操作円盤部３０を逆方向に回転させる。このとき、円盤部２５は、第２シート部２８の摩擦係数が小さいため、第２操作円盤部３０の回転速度及び方向に影響されることなく、予め定められた速度で回転することができる。
【００６７】
上述した第１操作円盤部２９についての判別と同様にして、制御部３は、第２センサ部３３から一定時間に入力されたパルス信号のパルス数から第２操作円盤部３０の回転速度を判別する。
【００６８】
制御部３は、判別した回転速度及び回転方向に応じて、ビデオ信号処理部１１を制御する。ビデオ信号処理部１１は、ビデオＲＡＭ１２からデジタルビデオ信号を読み出す速度及び順序を制御する。すなわち、通常とは逆の順序（降順アドレス）で、かつ、指示された速度でビデオＲＡＭ１２に記憶されたビデオ信号を読み出す。
【００６９】
操作者が第２操作円盤部３０から手を離し操作が終了すると、第２操作円盤部３０は、円盤部２５が予め定められた速度で回転しているので、直ちに、予め定められた速度及び回転方向の回転を再開する。第２操作円盤部３０が予め定められた速度及び回転方向で回転を再開すると、制御部３は、ビデオ信号処理部１１に通常再生時の読み出し速度でビデオＲＡＭ１２からデジタルビデオ信号を読み出す制御をする。
【００７０】
スクラッチ再生を行う場合、操作者は、手で第１操作円盤部２９を素早く正方向又は逆方向に回転させる操作を繰り返す。制御部３は、第１センサ部３４から入力されるパルス信号から、第１操作円盤部２９の回転速度及び回転方向を判別する。制御部３は、判別した回転速度及び回転方向に応じて、オーディオ信号処理部６を制御する。オーディオ信号処理部６は、オーディオＲＡＭ７に記憶されたデジタルオーディオ信号の読み出し速度及び読み出し順序（オーディオ信号を昇順アドレスで読み出す、または、降順で読み出す）を制御する。オーディオＲＡＭ７から読み出されたデジタルオーディオ信号は、オーディオＤＡＣ８によりアナログオーディオ信号に変換され、オーディオ出力端子１０に接続した機器から擦れ音のような効果音として出力される。
【００７１】
また、制御部３は、第２センサ部３３から入力されるパルス信号から、第２操作円盤部３０の回転速度及び回転方向を判別する。制御部３は、判別した回転速度及び回転方向に応じて、ビデオ信号処理部１１を制御する。ビデオ信号処理部１１は、ビデオＲＡＭ１２に記憶されたデジタルビデオ信号の読み出し速度及び読み出し順序（ビデオ信号を昇順アドレスで読み出す、または、降順で読み出す）を制御する。ビデオＲＡＭ１２から読み出されたデジタルビデオ信号は、ビデオＤＡＣ１３によりアナログビデオ信号に変換され、ビデオ出力端子１５に接続した機器から映像の逆転再生のような特殊映像として出力される。
【００７２】
上記のようなスクラッチ再生等において、操作者は、第１操作円盤部２９と第２操作円盤部３０とをそれぞれ異なる手または異なる指で操作することにより、オーディオ信号とビデオ信号とをそれぞれ非同期に所望の再生順序及び／または速度で再生させることができる。このように、本実施の形態に係る操作装置１においては、オーディオ信号の出力を制御するための第１操作円盤部２９と、ビデオ信号の出力を制御するための第２操作円盤部３０と、をそれぞれ備えるため、操作者は、制御対象（オーディオ信号又はビデオ信号）を切り換えるための操作をすることなく、簡便に、所望のように自在に映像及び音声を操ることができる。
【００７３】
上記実施の形態では、第１操作円盤部２９はオーディオデータの読み出しに関する操作入力を受け付け、第２操作円盤部３０はビデオデータの読み出しに関する操作入力を受け付ける。しかし、第１操作円盤部２９を介してビデオデータの読み出しを制御し、第２操作円盤部３０を介してオーディオデータの読み出しを制御するようにしてもよい。
【００７４】
上記実施の形態では、第１操作円盤部２９と第２操作円盤部３０とは円盤部２５上に載置された状態で、略同一の平面を構成するものとした。しかし、これに限らず、操作性の向上を図るため、内側の第２操作円盤部３０を第１操作円盤部２９よりも肉厚に構成し、或いは、内側に突出するように構成してもよい。
【００７５】
上記実施の形態では、第１操作円盤部２９、第２操作円盤部３０及び円盤部２５の回転状態は、発光素子と受光素子とを備えた光センサを用いて判別するものとした。しかし、回転状態の検出手法はこれに限らず、いかなるものであってもよい。
【図面の簡単な説明】
【００７６】
【図１】本発明の実施の形態に係る再生装置の構成を示すブロック図である。
【図２】本発明の実施の形態に係るジョグダイヤル部の構成を示す図である。
【図３】ジョグダイヤル部の上面図を示す図である。
【図４】回転状態に応じて光センサが発生するパルス信号の例を示す図である。
【符号の説明】
【００７７】
１…再生装置、２…再生部、３…制御部、４…操作部、４ａ…ジョグダイヤル部、５…表示部、６…オーディオ信号処理部、７…オーディオＲＡＭ、８…オーディオＤＡＣ、１０…オーディオ出力端子、１１…ビデオ信号処理部、１２…ビデオＲＡＭ、１３…ビデオＤＡＣ、１５…ビデオ出力端子、２０…パネル、２１…モータ、２２…モータ回転軸、２３…プーリ部、２４…ベルト、２５…円盤部、２７…第１シート部、２８…第２シート部、２９…第１操作円盤部、２９ａ…スリット部、３０…第２操作円盤部、３１…上部保持部、３２…回転軸、３３…第２センサ部、３４…第１センサ部、３４ａ、ｂ…光センサ、３５…第２スケール部、３６…第３センサ部、３７…下部保持部、３８…第３スケール部
【図１】
2008282430.tif 000003
【図２】
2008282430.tif 000004
【図３】
2008282430.tif 000005
【図４】
2008282430.tif 000006